(57)【要約】【課題】  製品ごとに１以上のサイズで切り出される１以上の種類の材料の必要量を予測する材料必要量予測装置を提供する。【解決手段】生産実績と製品及び材料寸法データとから、製品の単位数ごとに必要とされる材料の数量であって前記使用割合によって按分された数量である換算係数を算出し、算出した換算係数、及び、販売実績データ、に基づいて、過去販売された製品数だけ製品を製造するのに必要な材料の数量を算出し、前記材料の種類ごとの数量に基づいて、未来の材料の予測必要量を算出する材料必要量予測装置。【選択図】図１
2011187020.tif 000002
【特許請求の範囲】
【請求項１】
製品ごとに１以上のサイズで切り出される１以上の種類の材料の必要量を予測する材料必要量予測装置であって、
前記製品ごとに、使用した前記材料の種類と、量と、前記種類ごとの使用割合と、を表す過去の生産実績データが格納された生産実績データベースと、
前記材料の寸法データ及び前記製品の寸法データが格納された寸法諸元データベースと、
前記製品の過去の販売実績データが格納されている販売実績データベースと、
前記生産実績データベースから過去の生産実績データを取得する生産実績収集部と、
前記生産実績収集部から取得した過去の生産実績データと、前記寸法諸元データベースから取得した前記製品及び前記材料の寸法データと、に基づいて、前記製品の単位数ごとに必要とされる前記材料の数量であって前記使用割合によって按分された数量である換算係数を算出する換算係数計算部と、
前記販売実績データベースから過去の販売実績データを取得する販売実績収集部と、
前記換算係数計算部から取得した前記換算係数、及び、販売実績収集部から取得した前記販売実績データ、に基づいて、過去販売された製品数だけ製品を製造するのに必要な前記材料の種類ごとの数量を算出する製品量−材料量換算部と、
前記製品量−材料量換算部で算出された前記材料の種類ごとの数量に基づいて、未来の材料の予測必要量を算出する材料量需要予測部と、
を備えた材料必要量予測装置。
【請求項２】
製品ごとに１以上のサイズで切り出される１以上の種類の材料の必要量を予測する材料必要量予測方法であって、
コンピュータが、生産実績データベースから前記製品ごとに使用した前記材料の種類と、量と、前記種類ごとの使用割合と、を表す過去の生産実績データを取得する生産実績取得ステップと、
コンピュータが、前記生産実績取得ステップで取得した過去の生産実績データと、寸法諸元データベースから取得した前記製品及び前記材料の寸法データと、に基づいて、前記製品の単位数ごとに必要とされる前記材料の数量であって前記使用割合によって按分された数量である換算係数を算出する換算係数計算ステップと、
コンピュータが、販売実績データベースから過去の販売実績データを取得する販売実績取得ステップと、
コンピュータが、前記換算係数計算ステップで取得した前記換算係数、及び、販売実績取得ステップで取得した前記販売実績データ、に基づいて、過去販売された製品数だけ製品を製造するのに必要な前記材料の種類ごとの数量を算出する製品量−材料量換算ステップと、
前記製品量−材料量換算ステップで算出した前記材料の種類ごとの数量に基づいて、未来の材料の予測必要量を算出する材料量需要予測ステップと、
を備えた材料必要量予測方法。
【請求項３】
コンピュータに、製品ごとに１以上のサイズで切り出される１以上の種類の材料の必要量を予測させる材料必要量予測プログラムであって、
コンピュータに、生産実績データベースから前記製品ごとに使用した前記材料の種類と、量と、前記種類ごとの使用割合と、を表す過去の生産実績データを取得させる生産実績取得ステップと、
コンピュータに、前記生産実績取得ステップで取得した過去の生産実績データと、寸法諸元データベースから取得した前記製品及び前記材料の寸法データと、に基づいて、前記製品の単位数ごとに必要とされる前記材料の数量であって前記使用割合によって按分された数量である換算係数を算出させる換算係数計算ステップと、
コンピュータに、販売実績データベースから過去の販売実績データを取得させる販売実績取得ステップと、
コンピュータに、前記換算係数計算ステップで取得した前記換算係数、及び、販売実績取得ステップで取得した前記販売実績データ、に基づいて、過去販売された製品数だけ製品を製造するのに必要な前記材料の種類ごとの数量を算出させる製品量−材料量換算ステップと、
前記製品量−材料量換算ステップで算出させた前記材料の種類ごとの数量に基づいて、未来の材料の予測必要量を算出させる材料量需要予測ステップと、
を備えた材料必要量予測プログラム。
【発明の詳細な説明】
【技術分野】
【０００１】
本発明は、将来の製品製造のために必要とされる材料の量を予測するための材料必要量予測装置、材料必要量予測方法、及び材料必要量予測プログラムに関し、特に、製品ごとに１以上のサイズで切り出される１以上の種類の材料の必要量を予測するための材料必要量予測装置、材料必要量予測方法、及び材料必要量予測プログラムに関する。
【背景技術】
【０００２】
製品を製造するためには、材料を入手する必要があるが、製品の種類、材料の種類によっては、製品受注時から出荷までに許される期間よりも、材料を入手するために必要な期間の方がかなり長い場合がある。
【０００３】
例えば、印刷用のアルミ版は、アルミニウム板を巻いたロールであるアルミロールから必要サイズを切り出すことによって製造されるが、このアルミロールを入手するには、発注してから例えば２ヶ月以上もの期間が必要になる。一方、製品である印刷用のアルミ板は、受注して例えば１ヶ月ほどで出荷する必要がある。この場合、製品を受注してからアルミロールを発注したのでは、製品製造に間に合わない。
【０００４】
また、アルミロールは、その幅、厚み等が異なる複数の種類のものが存在し、かつ、アルミロールは１つで１０００ｍ以上もの長さがある。このため、ある製品用にアルミロールを購入しても使い切れない場合があり、かといって、アルミロールは大きく場所を取るので、多くのアルミロールを保管することは困難であり、ある期間のうちに使い切ることも要求される。
【０００５】
そのため、理想的には、製品の幅と同じ幅のアルミロールを切り出すことにより、材料の無駄なく製品製造が可能になるが、製品幅よりも大きい幅のアルミロールを使うことによって、その端を切り捨てることにより無駄が生じてしまってでも、アルミロールを使い切らなければならない場合がある。実際には、多くの種類の製品を製造するには、製品幅と異なるアルミロールを使用することの方が多くなりがちである。
【０００６】
更に、アルミロールの幅によって、使用できる設備が異なるので、製品生産量、製品種類の組み合わせによっては、生産量を確保するために、つまり、設備を遊ばさないために本来の最適幅ではないアルミロールから製品を製造しなければならない場合もある。
【０００７】
このように、受注する製品の種類、量によって、使用するアルミロールの幅、生産設備の組み合わせが、多く存在し、その多くの組み合わせの中から、材料の無駄が少なく、製品納期を間に合わせ、アルミロールをある期間内に使い切る等の様々なことのバランスがとれた適切な組み合わせを選択しなければならない。しかも、製品受注の例えば２ヶ月前には製品の受注量を予測してアルミロールを発注しなければならない。
【０００８】
従来は、熟練した人間の経験と勘によって製品の受注量を予測し、アルミロールを発注していた。
【０００９】
将来の製品需要を予測するための装置としては、例えば特許文献１に開示されたものがある。特許文献１に開示された需要予測装置は、製品販売実績格納手段と、中間部品使用実績格納手段と、製品構成情報格納手段と、入力手段と、需要予測手段と、比較手段とを備え、前記入力手段から入力された特定製品販売情報の種類に応じた符号をコンピュータメモリ上に記憶させ、前記比較手段により比較結果に差異があれば前記コンピュータメモリ上において該符号が記憶されているか否かを判別し、符号が記憶されている場合には、中間部品使用実績値を基に算出された中間部品の予測需要数量を、製品販売実績値及び特定製品販売情報を基に算出された前記中間部品の予測需要数量に基づいて修正し、それを最終結果として出力することを備えている。これにより、精度良く需要予測を行うことが可能で、中間部品の過不足を減らすことが可能であるとしている。
【先行技術文献】
【特許文献】
【００１０】
【特許文献１】特開２００２−８３０９１号公報
【発明の概要】
【発明が解決しようとする課題】
【００１１】
しかしながら、人間がこのような生産管理において熟練するには、長い年月が必要であり、熟練していないものでも製品の受注量を予測し、しかも前記多くの組み合わせのなから適した組み合わせを選択し、その適した組み合わせのアルミロール種類と数量を発注することが可能な装置が必要とされていた。
【００１２】
また、特許文献１に開示された需要予測装置は、中間部品を母材として複数のサイズを切り出すような、構成の組み合わせが限定できない場合の中間部品の予測は考慮されておらず、そういう場合の予測はできなかった。
【００１３】
本発明は、かかる実情に鑑み、中間部品を母材として複数のサイズを切り出すような、すなわち、製品ごとに１以上のサイズで切り出される１以上の種類の材料の必要量を予測することができる材料必要量予測装置、材料必要量予測方法、及び材料必要量予測プログラムを提供しようとするものである。
【課題を解決するための手段】
【００１４】
本発明の課題は、下記の各発明によって解決することができる。
【００１５】
すなわち、本発明の材料必要量予測装置は、製品ごとに１以上のサイズで切り出される１以上の種類の材料の必要量を予測する材料必要量予測装置であって、前記製品ごとに、使用した前記材料の種類と、量と、前記種類ごとの使用割合と、を表す過去の生産実績データが格納された生産実績データベースと、前記材料の寸法データ及び前記製品の寸法データが格納された寸法諸元データベースと、前記製品の過去の販売実績データが格納されている販売実績データベースと、前記生産実績データベースから過去の生産実績データを取得する生産実績収集部と、前記生産実績収集部から取得した過去の生産実績データと、前記寸法諸元データベースから取得した前記製品及び前記材料の寸法データと、に基づいて、前記製品の単位数ごとに必要とされる前記材料の数量であって前記使用割合によって按分された数量である換算係数を算出する換算係数計算部と、前記販売実績データベースから過去の販売実績データを取得する販売実績収集部と、前記換算係数計算部から取得した前記換算係数、及び、販売実績収集部２４から取得した前記販売実績データ、に基づいて、過去販売された製品数だけ製品を製造するのに必要な前記材料の種類ごとの数量を算出する製品量−材料量換算部と、前記製品量−材料量換算部で算出された前記材料の種類ごとの数量に基づいて、未来の材料の予測必要量を算出する材料量需要予測部と、を備えたことを主要な特徴としている。
【００１６】
これにより、従来、熟練者に頼っていた、製品ごとに１以上のサイズで切り出される１以上の種類の材料の必要量をコンピュータによって予測することが可能になった。
【００１７】
また、本発明の材料必要量予測方法は、製品ごとに１以上のサイズで切り出される１以上の種類の材料の必要量を予測する材料必要量予測方法であって、コンピュータが、生産実績データベースから前記製品ごとに使用した前記材料の種類と、量と、前記種類ごとの使用割合と、を表す過去の生産実績データを取得する生産実績取得ステップと、コンピュータが、前記生産実績取得ステップで取得した過去の生産実績データと、寸法諸元データベースから取得した前記製品及び前記材料の寸法データと、に基づいて、前記製品の単位数ごとに必要とされる前記材料の数量であって前記使用割合によって按分された数量である換算係数を算出する換算係数計算ステップと、コンピュータが、販売実績データベースから過去の販売実績データを取得する販売実績取得ステップと、コンピュータが、前記換算係数計算ステップで取得した前記換算係数、及び、販売実績取得ステップで取得した前記販売実績データ、に基づいて、過去販売された製品数だけ製品を製造するのに必要な前記材料の種類ごとの数量を算出する製品量−材料量換算ステップと、前記製品量−材料量換算ステップで算出した前記材料の種類ごとの数量に基づいて、未来の材料の予測必要量を算出する材料量需要予測ステップを備えたことを主要な特徴としている。
【００１８】
これにより、従来、熟練者に頼っていた、製品ごとに１以上のサイズで切り出される１以上の種類の材料の必要量をコンピュータによって予測することが可能になった。
【００１９】
更に、本発明の材料必要量予測プログラムは、コンピュータに、製品ごとに１以上のサイズで切り出される１以上の種類の材料の必要量を予測させる材料必要量予測プログラムであって、コンピュータに、生産実績データベースから前記製品ごとに使用した前記材料の種類と、量と、前記種類ごとの使用割合と、を表す過去の生産実績データを取得させる生産実績取得ステップと、コンピュータに、前記生産実績取得ステップで取得した過去の生産実績データと、寸法諸元データベースから取得した前記製品及び前記材料の寸法データと、に基づいて、前記製品の単位数ごとに必要とされる前記材料の数量であって前記使用割合によって按分された数量である換算係数を算出させる換算係数計算ステップと、コンピュータに、販売実績データベースから過去の販売実績データを取得させる販売実績取得ステップと、コンピュータに、前記換算係数計算ステップで取得した前記換算係数、及び、販売実績取得ステップで取得した前記販売実績データ、に基づいて、過去販売された製品数だけ製品を製造するのに必要な前記材料の種類ごとの数量を算出させる製品量−材料量換算ステップと、前記製品量−材料量換算ステップで算出させた前記材料の種類ごとの数量に基づいて、未来の材料の予測必要量を算出させる材料量需要予測ステップと、を備えたことを主要な特徴としている。
【００２０】
これにより、従来、熟練者に頼っていた、製品ごとに１以上のサイズで切り出される１以上の種類の材料の必要量をコンピュータによって予測することが可能になった。
【発明の効果】
【００２１】
本発明の、材料必要量予測装置、材料必要量予測方法、及び材料必要量予測プログラムによれば、製品ごとに１以上のサイズで切り出される１以上の種類の材料の必要量をコンピュータによって予測することが可能になった。
【図面の簡単な説明】
【００２２】
【図１】本発明の材料必要量予測装置の一実施形態を示す機能ブロック図である。
【図２】生産実績データベース１０に格納されている生産実績データの例を示す表である。
【図３】寸法諸元データベース１２に格納されているアルミロールの寸法データの例を示す表である。
【図４】換算係数を算出した結果を表した表である。
【図５】必要アルミロール個数を求めた結果を示す表である。
【図６】アルミロール個数の需要予測図である。
【図７】本発明の材料必要量予測方法の各ステップを表すフロー図である。
【発明を実施するための形態】
【００２３】
以下、添付図面を参照しながら、本発明を実施するための形態を詳細に説明する。本発明は、コンピュータで実現されるものであり、コンピュータを構成するハードウエア、ソフトウエアによって以下に記載する実施例の各構成要件が実現されるものである。ここで、実施例として、材料板材であるアルミのロールからアルミ板を切り出してアルミ製品を製造する場合を例にとって説明するが、本発明は、この実施例に限定されるものではなく、材料を様々な寸法に切り出して複数の製品を製造する場合一般に適用することができ、更にそれ以外においても、例えば１種類の材料から複数の製品または製品用の中間部品を製造する場合など、様々な場合において広く適用可能である。
【００２４】
＜装置構成＞
本発明の材料必要量予測装置の一実施形態について図面を参照して説明する。図１は、本発明の材料必要量予測装置の一実施形態を示す機能ブロック図である。図１に示すように、本発明の材料必要量予測装置は、生産実績データベース１０と、寸法諸元データベース１２と、販売実績データベース１４と、生産実績収集部２０と、換算係数計算部２２と、販売実績収集部２４と、製品量−材料量換算部３０と、材料量需要予測部３２と、を主に含んで構成される。
【００２５】
生産実績データベース１０には、製品ごとに、材料である複数種類のアルミロールのうちのどれをどのくらい使用して生産したかの過去生産実績データが格納されており、寸法諸元データベース１２には、各製品及びアルミロールの寸法等の諸元データが格納されており、販売実績データベース１４には、過去の製品販売実績データが格納されている。生産実績収集部２０は、生産実績データベース１０から過去の生産実績データを取得する。換算係数計算部２２は、生産実績収集部２０と、寸法諸元データベース１２とから取得したデータに基づいて、製品毎に１ケースあたりに必要とされるアルミロールの個数であってアルミロールの種類により使用される割合で按分された個数を表す換算係数を算出する。ここで、必ずしも１ケースあたりである必要はなく、あらかじめ定めた量あたりであって良く、任意の量を選択することが可能である。販売実績収集部２４は、販売実績データベース１４から過去の製品販売データを取得する。製品量-材料量換算部３０は、換算係数計算部２２から取得した換算係数と、販売実績収集部２４から取得した販売実績データとに基づいて、過去の製品販売数をアルミロール量に換算した値を算出する。材料量需要予測部３２は、製品量−材料量換算部３０から取得した過去のアルミロール必要量に基づいて統計的手法により、未来のアルミロール必要量を算出する。
【００２６】
＜装置動作＞
次に、本発明の材料必要量予測装置の動作について、例を用いて詳細に説明する。図２は、生産実績データベース１０に格納されている生産実績データの例を示す表である。図３は、寸法諸元データベース１２に格納されているアルミロールの寸法データの例を示す表である。
【００２７】
図２を参照して、生産実績データベース１０に格納されているデータは、製品名毎の、その製品製造に必要なアルミ板の幅のデータ、その幅のアルミ板を切り出すために使用したアルミロールの幅のデータ、切り出すアルミ板の長さであるカット長のデータ、１ケースあたりに必要な切り出したアルミ板の数量であるケースあたりアルミ板数量のデータ、何ケース生産したかを表す生産量のデータ、どの設備を使用したかを表す設備のデータ、である。ここで、製品毎のその製品製造に必要なアルミ板の幅のデータと、カット長のデータとは、寸法諸元データベース１２に格納されていても良い。
【００２８】
図３を参照して、寸法諸元データベース１２に格納されているデータは、材料であるアルミロール毎の、アルミロールの幅と厚みと長さのデータである。
【００２９】
図１、図２、図３を参照して、生産実績収集部２０は、生産実績データベース１０から図２で示されるデータを取得する。換算係数計算部２２は、生産実績収集部２０から取得した図２で示されるデータと、寸法諸元データベース１２から取得した図３で示されるデータとから、製品毎に、１ケースあたりに必要なアルミロールの個数を求め、更に、それにアルミロールの種類別使用割合を加味した換算係数を算出する。
【００３０】
１ケースあたりに必要なアルミロール個数（以下ケース換算係数と称する）の算出は、次の計算式を用いて行う。
ケース換算係数＝（カット長×ケースあたりアルミ板数量／スリット数量）／アルミロール長さ
ここで、スリット数量とは、アルミ板の幅方向に２以上アルミ板が切り出せる場合において、その幅方向に切り出せるアルミ板数量のことを言う。例えば、使用するアルミロールの幅が、製品に必要なアルミ板の幅の倍の長さがあるときは、アルミロールの幅方向に２つアルミ板が切り出せる。このとき、スリット数量は２になる。
【００３１】
次にケース換算係数から換算係数を求める方法は、次の通りである。
換算係数＝ケース換算係数×そのアルミロール種類でのケース生産量割合（以下使用割合と称する）
具体的には、換算係数計算部２２は、図２、図３のデータを基に、次のように計算を行う。
【００３２】
＜製品Ｘについて＞
まず図２の生産量のデータから、使用したアルミロールの種類（アルミロールの幅）ごとのケース生産量の割合（使用割合）を求める。すると、生産量１００ケース（アルミロール幅５６０ｍｍ）、３０ケース（アルミロール幅１１２０ｍｍ）、２００ケース（アルミロール幅１２１０）は、それぞれの使用割合を求めると、３０．３％（アルミロール幅５６０ｍｍ）、９．０％（アルミロール幅１１２０ｍｍ）、６０．６％（アルミロール幅１２１０ｍｍ）となる。ここで、アルミロール幅１１２０ｍｍは、使用割合が１０％を切っているので、使用していないと考え、それ以外のアルミロール幅５６０ｍｍとアルミロール幅１２１０ｍｍの使用割合を求める。すると、３３％（アルミロール幅５６０ｍｍ）、６６％（アルミロール幅１２１０ｍｍ）となる。
【００３３】
なお、ここでは、使用割合が１０％を切ったものは削除して考えたが、削除の基準となる割合は、１０％に限定されるものではなく、製品毎、状況毎に様々な値をあらかじめ選択することができる。あるいは、製品、状況に応じて変動するようにしても良い。更に、ここでは、１０％を切ったものは、削除して残りのアルミロールから使用割合を計算したが、削除するのではなく、例えば、幅の広いアルミロールの方に合算して使用割合を求めても良い。
【００３４】
次にケース換算係数を求める。
・製品Ｘの１ケースあたりに必要な５６０ｍｍ幅のアルミロール数（ケース換算係数）
[６００ｍｍ（カット長）×３０（ケースあたりアルミ板数量）／１（スリット数量）]／（２０００ｍ×１０００ｃｍ／ｍ）（コイル長）＝０．００９
・製品Ｘの１ケースあたりに必要な１１２０ｍｍ幅のアルミロール数（ケース換算係数）
上記と同様に計算して、
（６００ｍｍ×３０／２）／（１０００ｍ×１０００ｃｍ／ｍ）＝０．００９
なお、１１２０ｍｍ幅のアルミロールについては、使用割合が１０％以下なので、上述したように使用していないと考えるので、計算する必要はない。ここでは、参考のために計算式を記載した。
・製品Ｘの１ケースあたりに必要な１２１０ｍｍ幅のアルミロール数（ケース換算係数）
上記と同様に計算して、
（５５０ｍｍ×３０／２）／（１０００ｍ×１０００ｃｍ／ｍ）＝０．００８３
次に、ケース換算係数から換算係数を求める。
・５６０ｍｍ幅のアルミロールの換算係数
０．００９（ケース換算係数）×３３％（アルミロール幅５６０ｍｍの使用割合）＝０．００３
・１２１０ｍｍ幅のアルミロールの換算係数
上記と同様に計算して、
０．００８３×６６％＝０．００５
＜製品Ｙについて＞
製品Ｙについても、製品Ｘと同様にして換算係数を求める。求め方は同じなので、計算式は省略する。
【００３５】
このように、製品ごと、アルミロール毎に換算係数を求めた結果を図４に示す。図４は、換算係数を算出した結果を表した表である。このようにして、換算係数計算部２２は、換算係数を算出する。
【００３６】
続いて、販売実績収集部２４は、販売実績データベース１４から過去の販売実績データを取得する。製品量−材料量換算部３０は、販売実績収集部２４から取得した販売実績データと、換算係数計算部２２から取得した換算係数と、に基づいて製品毎に必要なアルミロールの個数をアルミロールの種類毎に算出する。
【００３７】
算出は次のようにして行う。
必要アルミロール個数＝販売出荷実績量×換算係数
具体的には、製品Ｘの販売出荷実績量が４００ケースとすると、
・アルミロール幅５６０ｍｍ
４００（販売出荷実績量）×０．００３（製品Ｘ、アルミロール幅５６０ｍｍの換算係数）＝１．２個
・アルミロール幅１２１０ｍｍ
４００（販売出荷実績量）×０．００５（製品Ｘ、アルミロール幅１２１０ｍｍの換算係数）＝２個
製品Ｙについては、製品Ｘと同様の計算を行うだけなので、計算式は省略する。
【００３８】
製品量−材料量換算部３０は、このようにして必要アルミロール個数を求めるが、求めた結果を図５に示す。図５は、必要アルミロール個数を求めた結果を示す表である。
【００３９】
材料量需要予測部３２は、製品量−材料量換算部３０から得られた各月毎の必要アルミロール個数に基づいて、未来の必要アルミロール個数を予測する。この予測には、市販の需要予測システム、または、ソフトを使用することができ、例えば、日立東日本ソリューションズ製ForecastProなどを好適に使用することができる。
【００４０】
未来のアルミロール個数を予測した例を図６に示す。図６は、アルミロール個数の需要予測図である。この図において、横軸は、時間であり、年、月を示す。縦軸は、ある幅のアルミロール個数を示し、実線が、需要実績を表し、点線が需要予測を表す。この図では、例として、２００６年９月から２００８年１１月までの需要実績と、２００６年９月から２００９年１１月までの需要予測を表す。
【００４１】
＜材料必要量予測方法＞
次に本発明の材料必要量予測方法について、図面を参照して説明する。図７は、本発明の材料必要量予測方法の各ステップを表すフロー図である。図７に示すように、生産実績収集部２０は、生産実績データベース１０から直近の生産実績を指定期間遡って取り込む（Ｓ１）。
【００４２】
換算係数計算部２２は、生産実績収集部２０から取得したデータと、寸法諸元データベース１２から取得したデータと、から製品品目別に使用板材、すなわち材料板材であるアルミロールのサイズとその使用量を抽出する（Ｓ２）。
【００４３】
換算係数計算部２２は、新しいサイズの材料板材と従来のサイズの材料板材との入れ替えがあるか否かを判断する（Ｓ３）。この判断は、オペレータからの入力情報に基づいて行っても良いし、ネットワーク通信により、他のコンピュータ等から入れ替えに関する情報を入手することによって行っても良い。判断の結果、新しいサイズの入れ替えがないと判断されたら、ステップＳ６から実行を行い、入れ替えがある場合は、Ｓ４のステップから実行する。
【００４４】
入れ替えがあると判断されたとき、新しいサイズの材料板材を加工可能な生産設備に生産配分を行う計算を実施する（Ｓ４）。
【００４５】
ステップＳ４にて新しいサイズの材料板材を生産配分された生産設備での新サイズの材料板材の生産可能量を算出する（Ｓ５）。
【００４６】
換算係数計算部２２は、取得した生産量のデータから各板材サイズの使用割合を算出する（Ｓ６）。換算係数計算部２２は、算出した使用割合があらかじめ定められた規定比率以上か否かの判断を行う（Ｓ７）。
【００４７】
規定比率以上の場合は、ステップＳ９を実行する。規定比率以上でない場合は、使用比率が規定を下回った板材サイズの使用割合については、１回り大きいサイズの板材の使用割合に合算する（Ｓ８）。ここで、１回り大きいサイズの板材の使用割合に合算するのではなく、上述したように、その板材は削除して、それ以外の板材のみで使用割合を算出し直しても良い。
【００４８】
換算係数計算部２２は、次に、製品１ケースあたりに必要な材料板材数であるケース換算係数を求め（Ｓ９）、そのケース換算係数から、１製品あたりの材料板材種類の使用割合を加味した換算係数を求める（Ｓ１０）。
【００４９】
製品量−材料量換算部３０は、販売実績収集部２４が販売実績データベース１４から取得した販売情報と、換算係数計算部２２が算出した換算係数とから、過去の製品販売実績を、過去必要とされた板材数量に変換する（Ｓ１１）。
【００５０】
材料量需要予測部３２は、製品量−材料量換算部３０が算出した過去必要とされた板材数量に統計的手法を適用して、未来の板材材料必要量を算出する。
【産業上の利用可能性】
【００５１】
本発明の材料必要量予測装置及び材料必要量予測方法は、コンピュータのＣＰＵ、メモリ、記憶装置、ディスプレイ、入出力デバイス等を含むハードウエア資源上に構築されたＯＳ、アプリケーション、データベース、プログラム等によって実現されるものであり、過去の販売実績、生産実績、製品サイズ、材料サイズ等の情報に基づいて未来の材料必要量を予測するという情報処理が上記のハードウエア資源を用いて具体的に実現されるものであるから、自然法則を利用した技術的思想に該当するものであり、生産管理等の分野ならば、どの分野においても利用することができる。
【符号の説明】
【００５２】
１０：生産実績データベース、１２：寸法諸元データベース、１４：販売実績データベース、２０：生産実績収集部、２２：換算係数計算部、２４：販売実績収集部、３０：材料量換算部、３２：材料量需要予測部
【図１】
2011187020.tif 000003
【図２】
2011187020.tif 000004
【図３】
2011187020.tif 000005
【図４】
2011187020.tif 000006
【図５】
2011187020.tif 000007
【図６】
2011187020.tif 000008
【図７】
2011187020.tif 000009